(57)【特許請求の範囲】
【請求項１】
ネットワーク通信を利用して画面表示機能を有する情報処理端末において広告を掲載する広告システムであって、
広告に係る地域を段階的に細分化し、該広告を該細分化のレベル及び該レベルにおける地域区分ごとに分類するとともに、該広告の内容に応じて分類して記憶する記憶手段と、
情報処理端末を、ユーザによる該情報処理端末の操作を通じた細分化のレベル及び該レベルにおける地域区分の選択と、該選択された該細分化のレベル及び該レベルにおける地域区分に応じた広告内容の選択とを可能とするホームページにアクセス状態とする手段と、
情報処理端末が該ホームページにアクセス状態になったとき、ユーザによる該情報処理端末の操作を通じて選択された該細分化のレベル及び該レベルにおける地域区分と、該選択された該細分化のレベル及び該レベルにおける地域区分に応じて該情報処理端末に表示された広告の内容のうち、該ユーザによる該情報処理端末の操作を通じて選択された広告の内容とに係る閲覧データを該情報端末から受信するデータ受信手段と、
該記憶手段により記憶されている情報の中から、該データ受信手段により受信された該閲覧データに係る該細分化のレベルと、該地域区分と、該内容とに応じて分類されている広告を検索する検索手段と、
該検索手段により検索された広告に係る広告データを該情報処理端末に送信するデータ送信手段とを備え、
前記記憶手段は、所定の地域範囲において共通する内容の広告の数が大きい広告ほど前記細分化のレベルを高くして記憶することを特徴とする広告システム。
【請求項２】
前記所定の地域範囲において共通する内容の広告の数を該広告の内容ごとにカウントするカウンタを備え、
前記記憶手段は、該カウンタによりカウントされた共通する内容の広告の数が大きい広告ほど前記細分化のレベルを高くして記憶することを特徴とする請求項１記載の広告システム。
【請求項３】
前記情報処理端末は携帯型であることを特徴とする請求項１又は２記載の広告システム。
【発明の詳細な説明】
【０００１】
【発明の属する技術分野】
本発明は、ネットワーク通信を利用して画面表示機能を有する情報処理端末において広告を掲載する広告システムに関する。
【０００２】
【従来の技術】
近年急激に普及した携帯電話やＰＨＳ等のモバイルはインターネット等のネットワークを通じた情報伝達媒体として大きな役割を果たしている。かかる状況を反映し、モバイルを通じてネットワーク上の所定のサイトで求人広告が閲覧可能とされている。こうしてモバイルは企業等の人材確保の有効なツールとして、また、働き手の職場確保の有効なツールとして期待されている。ユーザはモバイルを通じて求人広告用のホームページにアクセスし、地域及び職種を指定することで、当該地域における当該職種に関する求人広告を閲覧することができる。
【０００３】
しかし、例えば、居酒屋のような職種に関する求人広告はその数が多いので、地域が絞り込まれていない場合には求人広告の数が膨大になる。従って、ユーザは希望にかなった求人広告を見つけ出すのに時間がかかる。また、全ての求人広告を閲覧しようとするとモバイルにおける表示画面が小さいために求人広告を１つずつ閲覧するための操作の回数が増え、さらには通信コストが高くなる。
【０００４】
一方、漆塗り職人のような職種に関する求人広告はその数が少ないので、地域が絞り込まれすぎた場合には求人広告の数がわずかとなる。このため、ユーザは希望にかなった求人広告を閲覧することができない可能性が高くなる。
【０００５】
このように求人広告の数がときとして膨大、ときとして過小になるため、ユーザによる求人広告の閲覧が思うように促進されず、ひいては求人募集者が人材を確保できないおそれがあった。
【０００６】
【発明が解決しようとする課題】
そこで、本発明は内容ごとに地域限定の度合いと広告の数とを整合可能な広告システムを提供することを解決課題とする。
【０００７】
【課題を解決するための手段】
本願発明者は、ユーザはありふれた内容に関する広告については地域を狭く絞り込んだ上で閲覧する傾向にあり、特殊な内容に関する広告についてはあまり地域を絞り込まずに広範囲にわたって閲覧する傾向にあることを知見した。本発明はかかる知見に基づいてなされたものである。
【０００８】
前記課題を解決するための本発明の広告システムは、広告に係る地域を段階的に細分化し、該広告を該細分化のレベル及び該レベルにおける地域区分ごとに分類するとともに、該広告の内容に応じて分類して記憶する記憶手段と、情報処理端末を、ユーザによる該情報処理端末の操作を通じた細分化のレベル及び該レベルにおける地域区分の選択と、該選択された該細分化のレベル及び該レベルにおける地域区分に応じた広告内容の選択とを可能とするホームページにアクセス状態とする手段と、情報処理端末が該ホームページにアクセス状態になったとき、ユーザによる該情報処理端末の操作を通じて選択された該細分化のレベル及び該レベルにおける地域区分と、該選択された該細分化のレベル及び該レベルにおける地域区分に応じて該情報処理端末に表示された広告の内容のうち、該ユーザによる該情報処理端末の操作を通じて選択された広告の内容とに係る閲覧データを該情報端末から受信するデータ受信手段と、該記憶手段により記憶されている情報の中から、該データ受信手段により受信された該閲覧データに係る該細分化のレベルと、該地域区分と、該内容とに応じて分類されている広告を検索する検索手段と、該検索手段により検索された広告に係る広告データを該情報処理端末に送信するデータ送信手段とを備え、前記記憶手段は、所定の地域範囲において共通する内容の広告の数が大きい広告ほど前記細分化のレベルを高くして記憶することを特徴とする。
【０００９】
本発明によれば、ありふれた内容に関する広告を地域の細分化のレベルの高い地域区分にのみ分類して記憶手段に記憶させておくことができる。この場合、ユーザは高いレベルの地域区分を指定したときにのみ、ありふれた内容に関する広告を閲覧することができる。また、細分化のレベルが高ければ地域区分が小さく絞り込まれるので、ありふれた内容でもその広告の数が適切に抑制される。このため、ありふれた内容について、閲覧可能な広告の数が膨大になるという事態を回避することができる。
【００１０】
また、特殊な内容に関する広告を地域の細分化のレベルの低い地域区分にのみ分類して記憶手段に記憶させておくことができる。この場合、ユーザが低いレベルを指定したときにのみ、特殊な内容に関する広告を閲覧することができる。また、細分化のレベルが低ければ地域区分はさほど絞り込まれていないので、特殊な内容でもその広告の数が十分に確保される。このため、特殊な内容について、閲覧可能な広告の数が過小になるという事態を回避することができる。
【００１１】
こうしてユーザが閲覧可能な広告の数が膨大又は過小になる事態が回避されることで、ユーザによる広告の閲覧が促進され、広告効果の向上が期待できる。
【００１２】
前記データ受信手段は広告申込用の情報処理端末から前記広告に関する地域の前記細分化のレベルと、該レベルにおける地域区分と、該広告の内容に係る分類データを受信し、前記記憶手段は、該データ受信手段により受信された該分類データに基づき該広告を分類して記憶することを特徴とする。
【００１３】
本発明によれば、広告をした者は、広告用の情報処理端末を通じ、前述の内容に応じたユーザによる地域区分の絞込みの傾向に合わせて地域の細分化のレベルを指定することができる。
【００１４】
前記記憶手段は、所定の地域範囲において共通する内容の広告の数が大きい広告ほど前記細分化のレベルを高くして記憶することを特徴とする。
【００１５】
前記所定の地域範囲において共通する内容の広告の数を該広告の内容ごとにカウントするカウンタを備え、前記記憶手段は、該カウンタによりカウントされた共通する内容の広告の数が大きい広告ほど前記細分化のレベルを高くして記憶することを特徴とする。
【００１６】
本発明によれば、共通する内容の広告の数が大きいありふれた内容に関する広告を、高いレベルの地域区分に分類して記憶手段に記憶させることができる。また、共通する内容の広告の数が小さい特殊な内容に関する広告を、低いレベルの地域区分に分類して記憶手段に記憶させることができる。
【００１７】
前記情報処理端末は携帯型であることを特徴とする。携帯型ゆえに情報処理端末の画面に一度に表示される情報量が少ないために閲覧する広告の数が大きければ通信時間が長くなり、通信コストも高くなる。しかるに、前述のように広告の数が適切なものとされるので、かかる事態が回避される。また、携帯型としたことで時と場所の制約とは関係なく広告が閲覧されるので、広告効果が向上すると期待できる。
【００１８】
【発明の実施の形態】
本発明の広告システムの実施形態について図面を用いて説明する。図１は本実施形態の広告システムの構成説明図であり、図２は本実施形態の広告システムにおける広告の分類についての説明図であり、図３は本実施形態の広告システムを利用するモバイルにおける画面表示の説明図である。
【００１９】
図１に示す広告システムは、データベース（記憶手段）１と、データ受信手段２と、検索手段３と、データ送信手段４とを備えている。本システムは、ネットワーク通信が可能な携帯電話やＰＨＳ等のモバイル（情報処理端末）ｘを有するユーザ、及び同じくネットワーク通信が可能な広告用の情報処理端末ｙを用いて求人募集をする企業等を対象とする。
【００２０】
データベース１は求人に係る地域を段階的に細分化し、求人広告（本発明の「広告」）を細分化のレベル及びそのレベルにおける地域区分ごとに分類するとともに、求人広告の内容に応じて分類して記憶する。この分類は、広告用の情報処理端末ｙからデータ受信手段２に送信され、求人広告に関する地域の細分化のレベルと、そのレベルにおける地域区分と、求人広告の内容に係る「分類データ」に基づき行われる。また、図２に示すように地域の細分化のレベルは、地域区分「日本」、「アメリカ」、「ヨーロッパ」等がレベル１、「日本」等を細分化する地域区分「北海道」、「東北」、「関東」等がレベル２、「関東」等を細分化する地域区分「東京」、「神奈川」等がレベル３、「東京」等を細分化する地域区分「新宿」、「渋谷」等がレベル４とされている。レベル１からレベル４にいくにつれて地域の細分化のレベルは高くなる。
【００２１】
データ受信手段２はモバイルｘから地域の細分化のレベルと、そのレベルにおける地域区分と、求人広告の内容とに係る「閲覧データ」を受信する。検索手段３は、データベース１により記憶されている求人広告の中から、「閲覧データ」に係る地域の細分化のレベルと、地域区分と、求人広告の内容に応じて分類されている求人広告を検索する。データ送信手段４は検索手段３により検索された求人広告に係る「広告データ」をモバイルｘに送信する。
【００２２】
ここで、前記構成の広告システムの利用形態について図１〜図３を用いて説明する。モバイルｘが広告システムの運営者が開設するホームページにアクセス状態となると、まず、図３（ａ）に示すようにモバイルｘには「エリアを選ぶ」、「キーワードを選ぶ」、「戻る」、「次へ」というメニューバーが表示される。このとき「エリアを選ぶ」が選択されると、図３（ｂ）に示すようにレベル１に属する地域区分「日本」、「アメリカ」等が列挙表示される。続いて「日本」、「次へ」が選択されると、図３（ｃ）に示すように「日本」を細分化するレベル２の地域区分「北海道」、「関東」等が列挙表示される。さらに「関東」、「次へ」が選択されると、図３（ｄ）に示すように「関東」を細分化するレベル３の地域区分「東京」、「神奈川」等が列挙表示される。次に「東京」、「キーワードを選ぶ」が選択されると、図３（ｅ）に示すように地域区分「東京」とともに「短期で稼ぐ」、「飲食関係」等の求人広告の内容に関するキーワードが列挙表示される。
【００２３】
そして「飲食関係」、「次へ」が選択されると、地域の細分化のレベル（レベル３）と、このレベルにおける地域区分（東京）と、求人広告の内容（飲食関係）とに係る「閲覧データ」がモバイルｘからデータ受信手段２に送信される。このとき、検索手段３は、「閲覧データ」に係るレベル３、東京、飲食関係に応じて分類されている求人広告をデータベース１の中から検索する。続いてデータ送信手段４が検索された求人広告に係る「広告データ」をモバイルｘに送信する。これによりモバイルｘには図３（ｆ）に示すように「広告データ」に係る求人広告が表示される。続いて「次へ」が選択されることでこの「広告データ」に係る求人広告がモバイルｘにおいて表示される。なお、メニューバーの中から「戻る」が選択されると直前の画面に戻ることができる。例えば図３（ｃ）の状態で「戻る」が選択されると、図３（ｂ）に示す画面が表示される。
【００２４】
前記実施形態の広告システムによれば、居酒屋等のありふれた職種に関する求人広告を地域の細分化のレベルの高い地域区分にのみ分類してデータベース１に記憶させておくことができる。この場合、ユーザはモバイルｘを通じて高いレベルの地域区分を指定したときにのみ、ありふれた職種に関する求人広告を閲覧することができる。また、細分化のレベルが高ければ地域区分が小さく絞り込まれるので、ありふれた職種といえどもその求人広告の数が適切に抑制される。このため、ありふれた職種について、閲覧可能な求人広告の数が膨大になるという事態を回避することができる。
【００２５】
また、特殊な職種に関する求人広告を地域の細分化のレベルの低い地域区分にのみ分類してデータベース１に記憶させておくことができる。この場合、ユーザが低いレベルを指定したときにのみ、特殊な職種に関する求人広告を閲覧することができる。また、細分化のレベルが低ければ地域区分はさほど絞り込まれていないので、特殊な職種といえどもその求人広告の数が十分に確保される。このため、特殊な職種について、閲覧可能な求人広告の数が過小になるという事態を回避することができる。こうしてユーザが閲覧可能な求人広告の数が膨大又は過小になる事態が回避されることで、ユーザによる求人広告の閲覧が促進され、応募者は人材を確保することができると期待される。
【００２６】
前記実施形態では「広告」が求人広告であり、その「内容」は求人に係る職種によって分類されていたが、他の実施形態として「広告」が中古車の販売、物品の交換、サービスの提供等、あらゆる種類の広告であってもよく、その「内容」は中古車の種類、価格、交換に関する物品の種類、提供されるサービスの内容等、さまざまであってもよい。
【００２７】
前記実施形態では地域の細分化のレベルは４つであったが、他の実施形態としてレベルは複数であればいくつあってもよい。また、地域の細分化の方法は前記実施形態のものに限定されるものではない。前記実施形態では地域の細分化のレベルがモバイルｘにおける操作の繰り返しによりレベル１からレベル４に向かって変動していったが、他の実施形態としてレベル４からレベル１に向かって変動するようにしてもよい。
【００２８】
前記実施形態では広告用の情報処理端末ｙからデータ受信手段２に送信されてきた「広告データ」に基づいて求人広告が分類されてデータベース１に記憶されたが、他の実施形態としてこのシステムの運営者が、電話等を介して求人募集者から入手した情報に基づいて図示しない情報入力装置により「求人データ」を入力し、この入力された「広告データ」に基づいて求人広告が分類されてデータベース１に記憶されてもよい。
【００２９】
また、全国、関東、松江市、○○川の両側を挟む地域等の「所定の地域」における共通する職種（内容）に関する求人広告の数が広告システムの運営者等により人力でカウントされ、カウント数が大きいものほど高いレベルの地域区分に分類してデータベース１に記憶されてもよい。さらに、かかるカウントを人力ではなく自動的に行うカウンタが設けられてもよい。かかる実施形態によれば、一般にカウンタによるカウント数が大きいありふれた職種に関する求人広告を、高いレベルの地域区分に分類してデータベース１に記憶させることができる。また、一般にカウンタによるカウント数が小さい特殊な職種に関する求人広告を、低いレベルの地域区分に分類してデータベース１に記憶させることができる。
【００３０】
前記実施形態ではモバイルを介して広告が閲覧されたが、他の実施形態として設置型のパソコン等の情報処理端末を介して広告が閲覧されてもよい。
【図面の簡単な説明】
【図１】本実施形態の広告システムの構成説明図
【図２】本実施形態の広告システムにおける広告の分類に関する説明図
【図３】本実施形態の広告システムを利用するモバイルにおける表示画面の説明図
【符号の説明】
１‥データベース（記憶手段）、２‥データ受信手段、３‥検索手段、４‥データ送信手段、ｘ‥モバイル（情報処理端末）、ｙ‥広告申込用の情報処理端末
【図１】
0003605555.tif 000002
【図２】
0003605555.tif 000003
【図３】
0003605555.tif 000004